(57)【要約】      （修正有）【課題】高速ＳＥ法に特有のゴースト状アーチファクトの発生を排除し、高画質の画像を効率的に得ることかできるもの。【解決手段】高速ＳＥ法を用いた磁気共鳴イメージング装置において、複数の分割領域のうち、隣接する分割領域の順にデータ収集を行い、複数個の反転パルスそれぞれの印加後に印加する位相エンコード用傾斜磁場の量を、各分割領域内の全位相エンコード位置をカバーし、且つ、分割領域内では励起パルスに拠る高周波励起毎に他の分割領域とは無関係なデータ収集順序となるように変化させる収集順序制御手段（コントローラ６、傾斜磁場シーケンサ５）と、この収集順序制御手段により変化させたデータ収集順序に対応してフーリエ空間上にエコーデータを配置させるデータ配置手段（コントローラ６、データ前処理ユニット１１）とを設けたものである。【選択図】図１
2006136736.tif 000002
【特許請求の範囲】
【請求項１】
静磁場中に置かれた被検体に１個の励起パルスを印加して所望のスライス面を励起した後、複数個の反転パルスを前記スライス面に順次印加し、この複数個の反転パルスに付勢されて生じる複数個のスピンエコー信号を位相エンコード用傾斜磁場による位相エンコードを施して収集するとともに、前記複数個のスピンエコー信号に応じたエコーデータを、フーリエ空間の前記位相エンコード用傾斜磁場の量に対応した位相エンコード位置であって前記複数個の反転パルス数に応じた複数の分割領域それぞれにおける位相エンコード位置に配置し、前記フーリエ空間上のエコーデータを再構成して１枚の画像を生成するようにした高速ＳＥ法を用いた磁気共鳴イメージング装置において、
前記複数の分割領域のうち、隣接する分割領域の順にデータ収集を行い、前記複数個の反転パルスそれぞれの印加後に印加する前記位相エンコード用傾斜磁場の量を、前記各分割領域内の全位相エンコード位置をカバーし、且つ、前記分割領域内では前記励起パルスに拠る高周波励起毎に他の分割領域とは無関係なデータ収集順序となるように変化させる収集順序制御手段と、
この収集順序制御手段により変化させたデータ収集順序に対応して前記フーリエ空間上に前記エコーデータを配置させるデータ配置手段とを設けたことを特徴とする磁気共鳴イメージング装置。
【請求項２】
前記分割領域は、８つであることを特徴とする請求項１記載の磁気共鳴イメージング装置。
【請求項３】
前記高速ＳＥ法は、ＣＰＭＧパルス系列のパルスシーケンスであることを特徴とする請求項１記載の磁気共鳴イメージング装置。
【請求項４】
前記高速ＳＥ法は、ＣＰパルス系列のパルスシーケンスであることを特徴とする請求項１記載の磁気共鳴イメージング装置。
【発明の詳細な説明】
【技術分野】
【０００１】
この発明は、核磁気共鳴現象を利用した磁気共鳴イメージング（ＭＲＩ）装置に係り、特に、高速でスキャン可能なマルチエコースキャン法のうちの、複数のエコーにより１枚の画像を生成する高速ＳＥ法を用いた磁気共鳴イメージング装置に関する。
【背景技術】
【０００２】
磁気共鳴イメージングにおける画像データの収集シーケンスには、現在、各種のものが使用されている。その一つに、９０°パルス（励起パルス）及び１８０°パルス（反転パルス）を使ったスピンエコー法（ＳＥ法）がある。
【０００３】
このスピンエコー法の一つとして、シングルエコースキャン法が知られている。このシングルエコースキャン法は、９０°パルスを印加した後、ＴＥ／２（ＴＥ：所定のエコー時間）時間が経過した時点で１個の１８０°パルスを印加し、この１８０°パルス印加に伴う１個のスピンエコー信号を収集するとともに、この収集を必要マトリクス数だけ繰り返すものである。なお、エコー時間ＴＥは、撮影部位及び静磁場強度などによって異なる値で、例えば、０．５Ｔの静磁場の場合、ＴＥ＝８０〜１２０ｍｓｅｃに設定される。
【０００４】
スピンエコー法にはさらに、撮影時間の短縮を図る高速ＳＥ法も知られている。この高速ＳＥ法では、ＣＰＭＧパルス系列又はＣＰパルス系列のパルスシーケンスが用いられ、図８に示すように、１つの９０°ＲＦパルス及び複数個の１８０°ＲＦパルスが印加される。これにより、１回の９０°ＲＦパルスに拠る高周波励起から複数のエコー信号Ｒ１〜Ｒ４（４エコー法の場合）が発生するので、そのエコー信号Ｒ１〜Ｒ４の夫々に、異なる大きさの位相エンコード用傾斜磁場ＧＥによる位相エンコーディングが施される。この一連のシーケンスが必要回数繰り返され、通常のＳＥ法より少ない励起回数で１画像の再構成に必要なエコーデータが収集される。このため、撮影時間を大幅に短縮できるという有利さがある。
【０００５】
この高速ＳＥ法は、図９に示す如く、１回の９０°ＲＦパルスによる高周波励起から得られる一連のエコーデータがｋ空間（フーリエ空間）上でｋｅ方向（位相エンコードの空間周波数の方向）に等間隔に並ぶという特徴がある。
【発明の開示】
【発明が解決しようとする課題】
【０００６】
しかしながら、上述した高速ＳＥ法では、１回の９０°ＲＦパルスによる高周波励起から得られる一連のエコーデータが、ｋ空間上でｋｅ方向に等間隔に配列されることから、撮影中の撮影対象の動き（即ち、体動）やＣＳＦ（脳脊髄液）の拍動などに起因したゴースト発生の問題がある。
【０００７】
これを詳述すると、上述した高速ＳＥ法によるパルスシーケンスの全体は通常、２〜３秒のオーダーで終了し、１回の９０°ＲＦパルスによる高周波励起は例えば１００msec程度のオーダーである。これに対して、撮影中に撮影対象が動く時間は通常、数秒のオーダーである。このため、撮影対象が動いたとすると、パルスシーケンス全体が体動による影響下に入ることになり、９０°ＲＦパルスによる高周波励起毎に殆ど等しくその影響を受ける。このように、撮影対象が動き、画像の各画素に対応する撮影対象の信号強度が、９０°ＲＦパルスによる高周波励起毎に変動すると、エコーデータはｋ空間上でｋｅ方向に、エコー数に関係した（即ち、エコー数に比例した）周期で振幅変調を受けた形で並ぶ。この結果、再構成像上には図１０に示す如く（同図中、符号ＩＭは対象とする像を示す）、エンコード方向に沿ってエコー数に比例した周期ＰＴでゴースト状アーチファクトＡＦ．．．ＡＦが発生するという問題がある。このアーチファクトは、コントラストの低い場所に発生することが多いので、誤診を招く恐れがある。
【０００８】
この発明は、上述した従来技術の問題に鑑みてなされたもので、従来の高速ＳＥ法に特有のゴースト状アーチファクトの発生を排除し、高画質の画像を効率的に得ることを、目的とする。
【課題を解決するための手段】
【０００９】
上記目的を達成させるため、この発明に係る磁気共鳴イメージング装置は、静磁場中に置かれた被検体に１個の励起パルスを印加して所望のスライス面を励起した後、複数個の反転パルスを前記スライス面に順次印加し、この複数個の反転パルスに付勢されて生じる複数個のスピンエコー信号を位相エンコード用傾斜磁場による位相エンコードを施して収集するとともに、前記複数個のスピンエコー信号に応じたエコーデータを、フーリエ空間の前記位相エンコード用傾斜磁場の量に対応した位相エンコード位置であって前記複数個の反転パルス数に応じた複数の分割領域それぞれにおける位相エンコード位置に配置し、前記フーリエ空間上のエコーデータを再構成して１枚の画像を生成するようにした高速ＳＥ法を用いた磁気共鳴イメージング装置において、前記複数の分割領域のうち、隣接する分割領域の順にデータ収集を行い、前記複数個の反転パルスそれぞれの印加後に印加する前記位相エンコード用傾斜磁場の量を、前記各分割領域内の全位相エンコード位置をカバーし、且つ、前記分割領域内では前記励起パルスに拠る高周波励起毎に他の分割領域とは無関係なデータ収集順序となるように変化させる収集順序制御手段と、この収集順序制御手段により変化させたデータ収集順序に対応して前記フーリエ空間上に前記エコーデータを配置させるデータ配置手段とを設けた。
【００１０】
［作用］
この発明に係る磁気共鳴イメージング装置によれば、高速ＳＥ法に基づいて、１個の励起パルス（９０°ＲＦパルス）が被検体に印加された後、複数個（例えば４個）の反転パルス（１８０°ＲＦパルス）が印加される。これにより、反転パルスの各々に対応してスピンエコー信号が生成される。この複数個のスピンエコー信号を位相エンコード用傾斜磁場による位相エンコードを施して収集し、複数個のスピンエコー信号に応じたエコーデータを、複数の反転パルス数に応じた複数の分割領域における位相エンコード位置に配置し、フーリエ空間上のエコーデータを再構成して１枚の画像を生成するようにしたものである。
【００１１】
この磁気共鳴イメージング装置においては、複数の反転パルス数に応じた複数の分割領域のうち、隣接する分割領域の順にデータ収集を行ない、収集順序制御手段で複数個の反転パルスの印加後に位相エンコード用傾斜磁場の量、すなわち、各分割領域内の全位相エンコード位置をカバーし、励起パルスに拠る高周波励起毎に他の分割領域とは無関係になるように変化させられる。この変化の方法としいて、例えば、乱数表データに沿ってランダムに変わる方式が採用される。
【００１２】
そこで、受信したスピンエコー信号を処理する際、データ配置手段により、その変化させたデータ収集順序に応じて、エコーデータがフーリエ空間の各分割領域における指定された位相エンコード位置に配置される。これにより、配置されたフーリエ空間上のエコーデータをそのまま２次元フーリエ変換することで、１枚の画像が再構成される。
【００１３】
このように高周波励起毎に、位相エンコード用傾斜磁場の大きさを変化させる順序が変わるので、撮影中に被検体が動くようなことがあっても、フーリエ空間（ｋ空間）上でｋｅ方向に、エコー数に比例した周期で現れるエコーデータの振幅変動の周期性が緩和される。この結果、その周期性に依存したゴースト状アーチファクトが低減する。
【発明の効果】
【００１４】
この発明に係る磁気共鳴イメージング装置では、高速ＳＥ法によって収集される複数のスピンエコー信号に施す位相エンコーディングの大きさを変化させる順序が、高周波励起毎に他の分割領域とは無関係なデータ収集順序となり、この変化させた収集順序に対応してフーリエ空間上にエコーデータが配置されるため、撮影中に被検体が動くようなことがあっても、フーリエ空間（ｋ空間）上のｋｅ方向に、エコー数に比例した周期で現れるエコーデータの振幅変動の周期性が緩和される。これにより、その周期性に依存したゴースト状アーチファクトが再構成画像から殆ど排除され、その結果、従来の高速ＳＥ法よりも格段に高画質及び高解像度の画像を高速に提供できる。
【発明を実施するための最良の形態】
【００１５】
以下、この発明に係る磁気共鳴イメージング装置の一実施例を、図１〜図７を参照して説明する。
【００１６】
この実施例に係る磁気共鳴イメージング装置の概略構成を図１に示す。この磁気共鳴イメージング装置は、静磁場発生用の磁石部と、静磁場に位置情報を付加するための傾斜磁場部と、選択励起用及びＭＲ信号受信用の送受信部と、システムコントロール及び画像再構成を担う制御・演算部とを備えている。
【００１７】
磁石部は、例えば超電導方式の磁石１と、この磁石１に電流を供給する静磁場電源２とを備え、撮影対象としての被検体Ｐが挿入される円筒状の診断空間のＺ軸方向に静磁場Ｈ０を発生させる。
【００１８】
傾斜磁場部は、磁石１に組み込まれたＸ，Ｙ，Ｚ軸方向の３組の傾斜磁場コイル３ｘ〜３ｚと、この傾斜磁場コイル３（３ｘ〜３ｚ）に電流を供給する傾斜磁場電源４と、この電源４を制御する傾斜磁場シーケンサ５とを備える。この傾斜磁場シーケンサ５はコンピュータを備え、装置全体のコントローラ６（コンピュータを搭載）から高速ＳＥ法（スピンエコー法）に係る収集シーケンスを指令する信号を受ける。これにより、傾斜磁場シーケンサ５は、指令されたシーケンスにしたがってＸ，Ｙ，Ｚ軸方向の各傾斜磁場の印加及びその強度を制御し、Ｘ，Ｙ，Ｚ軸の傾斜磁場が静磁場Ｈ０に重畳可能になっている。この実施例では、互いに直交する３軸の内のＺ軸方向の傾斜磁場をスライス用傾斜磁場ＧＳとし、Ｘ軸方向の傾斜磁場を読出し用傾斜磁場ＧＲとし、さらにＹ軸方向の傾斜磁場を位相エンコード用傾斜磁場ＧＥとする。
【００１９】
送受信部は、磁石１内の撮影空間にて被検体Ｐの近傍に配設される高周波コイル７と、この高周波コイル７に接続された送信機８Ｔ及び受信機８Ｒと、この送信機８Ｔ及び受信機８Ｒの動作タイミングを制御するＲＦシーケンサ９（コンピュータを搭載）とを備える。この送信機８Ｔ及び受信機８Ｒは、ＲＦシーケンサ９の制御のもと、核磁気共鳴（ＮＭＲ）を励起させるためのラーモア周波数のＲＦ電流パルスを高周波コイル７に供給する一方で、高周波コイル７が受信したＭＲ信号（高周波信号）に各種の信号処理を施してエコー信号を形成するようになっている。
【００２０】
さらに、制御・演算部は、上述したコントローラ６のほか、受信機８Ｒで形成されたエコー信号をデジタル量に変換するＡ／Ｄ変換器１０と、このＡ／Ｄ変換信号を入力してデータをｋ空間上に配置するデータ前処理ユニット１１とを備える。さらに、データ前処理ユニット１１の出力側には、２次元フーリエ変換法により画像再構成を行う再構成ユニット１２と、再構成した画像データを保管する記憶ユニット１３と、画像を表示する表示器１４と、入力器１５とを備えている。コントローラ６は前述したようにコンピュータを内蔵し、傾斜磁場シーケンサ５及びＲＦシーケンサ９の同期をとりながら、高速ＳＥ法のパルスシーケンス（図３参照）にしたがって両者の動作内容及び動作タイミングを制御する。この制御には、後述する図２記載のデータ収集順序の制御も含まれる。
【００２１】
次に、この実施例の動作を説明する。
【００２２】
この磁気共鳴イメージング装置が起動すると、コントローラ６は高速ＳＥ法に係る所定メインプログラムに加えて、図２に示すプログラムを処理する。すなわち、９０°ＲＦパルスによる高周波励起毎にｋ空間上でランダムなデータ収集順序を決定し（図２ステップＳ１）、この順序にしたがった位相エンコード方向の勾配磁場パターンを決定する（同図ステップＳ２）。
【００２３】
このパターン決定は図３及び図４に示す如く、９０°ＲＦパルスによる高周波励起毎に、各エコー信号に施す位相エンコード用傾斜磁場パルスＧＥの大きさが異なる順序で変わるように決められる。この傾斜磁場パルスＧＥの決定には、例えば予め記憶している乱数表データが参照される。図４には、９０°ＲＦパルスによる高周波励起の回数（＝１〜８回）毎にランダムに変化する、４エコー（図３参照）に対する位相エンコード用傾斜磁場パルスＧＥ＝Ａ〜Ｄそれぞれの大きさ（面積比：相対値で表している）を、従来法と本発明の方法について示している。これから分かるように、従来法では傾斜磁場パルスＧＥ＝Ａ〜Ｄそれぞれの大きさが高周波励起毎に同じ順序で変化しているが、本発明の方法では、シーケンス終了時にｋ空間全体に配置できるエコーデータを収集する必要性に拠り面積比の数値範囲が限定されているものの、その範囲で傾斜磁場パルスＧＥ＝Ａ〜Ｄそれぞれの大きさの順序が高周波励起毎にランダムに、すなわち、互いに無関係に変化している。
【００２４】
次いで、大きさを変える順序がランダムに変化するように決められた位相エンコード用傾斜磁場パルスＧＥ＝Ａ〜Ｄそれぞれの情報（磁場パターン情報）が傾斜磁場シーケンサ５に出力される（図２ステップＳ３）。これにより、傾斜磁場シーケンサ５が傾斜磁場電源４に指令する傾斜磁場制御用のパルス信号も、図３に示す如く、傾斜磁場パルスＧＥ＝Ａ〜Ｄそれぞれの大きさを変化させる順序が高周波励起毎にランダムに変わる高速ＳＥ法に従ったものとなる。
【００２５】
次いで、ステップＳ１で既に決定しているデータ収集順序の情報を参照して、エコーデータのメモリ上での配列順序を決定する（同図ステップＳ４）。つまり、この実施例ではデータ収集順序はｋ空間上のｋｅ方向について高周波励起毎にランダムに変化しているので、得られるエコー信号の順番にメモリに書き込むと原画像に対応しないｋ空間上のデータ配置となることから、変化させたデータ収集順序の情報に基づいて原画像に対応したｋ空間上のメモリアドレスを求める。メモリアドレスの求め方としては、例えば、あるエコーデータの収集直前のエンコード方向傾斜磁場パルスの時間積分値から求められるｋｅに対応するアドレスを、そのエコーデータの格納先アドレスとする手法がある。
【００２６】
そして、このように決めた配列順序の情報がコントローラ６からデータ前処理ユニット１１に送られる（同図ステップＳ５）。
【００２７】
この実施例では、以上の構成及び処理の内、図２ステップＳ１〜Ｓ３及び傾斜磁場シーケンサが本発明の収集順序手段に相当し、同図ステップＳ４，Ｓ５及びデータ前処理ユニット１１が本発明のデータ配置手段に相当している。
【００２８】
上述のようにしてコントローラ６から位相エンコード用傾斜磁場ＧＥのパターン情報を受けた傾斜磁場シーケンサ５は、図３及び図４に示すシーケンスに基づいてスライス用傾斜磁場ＧＳ、読出し用傾斜磁場ＧＲ、及び位相エンコード用傾斜磁場ＧＥを制御する。これと並行して、コントローラ６から高速ＳＥ法の指令を受けたＲＦシーケンサ９は、図３に示すシーケンスで、被検体Ｐに９０°ＲＦパルス及び１８０°ＲＦパルスを印加させる。
【００２９】
つまり、最初に、スライス用傾斜磁場ＧＳが傾斜磁場電源４から傾斜磁場コイル３ｚ，３ｚを介して印加され、この傾斜磁場ＧＳが一定値まで立上がった時点で送信機８Ｔ及び高周波コイル７を介して９０°ＲＦパルスが１回だけ印加される。これにより、被検体の所定スライス幅の領域が選択励起されるとともに、その面内の原子核スピンがｙ´軸（回転座標）までフリップする。
【００３０】
次いで、スライス用傾斜磁場ＧＳの反転と共に、読出し用傾斜磁場ＧＲが傾斜磁場コイル３ｘ，３ｘを介して印加される。これはスライス面内のＧＲ方向に並んだ原子核スピンの位相が各エコーの中心時刻において揃うようにするための印加である。
【００３１】
次いで、スライス用傾斜磁場ＧＳとともに最初の１８０°ＲＦパルスが印加される。これにより、原子核スピンが１８０度、ｙ´軸の回りに回転する。さらに、最初の位相エンコード用傾斜磁場ＧＥ＝Ａが傾斜磁場電源４から傾斜磁場コイル３ｙ，３ｙを介して被検体Ｐに印加された後、傾斜磁場コイル３ｘ，３ｘを介して印加される読出し用傾斜磁場ＧＲとともに、最初のスピンエコー信号Ｒ１が高周波コイル７を介して収集される。
【００３２】
この後、反転させた位相エンコード用傾斜磁場ＧＥ＝−Ａを印加させる。これは疑似エコー（stimulated echo）による画質劣化を避けるため、１８０°ＲＦパルスの印加時にｋｅ＝０の状態に引き戻すために印加される。
【００３３】
次いで、スライス用傾斜磁場ＧＳとともに２番目の１８０°ＲＦパルスを印加した後、２番目の位相エンコード用傾斜磁場ＧＥ＝Ｂを印加する。そして、２番目のスピンエコー信号Ｒ２が、読出し用傾斜磁場ＧＲの印加とともに、高周波コイル７を介して収集される。
【００３４】
同様に、３番目及び４番目のスピンエコー信号Ｒ３，Ｒ４が収集される。
【００３５】
この４エコー信号Ｒ１〜Ｒ４の収集は、所定数の９０°ＲＦパルスによる高周波励起毎に繰り返される。
【００３６】
このように収集されたエコー信号は順次、受信機８Ｒに送られ、そこで増幅、中間周波変換、位相検波、低周波増幅などの処理を受けた後、Ａ／Ｄ変換器１０でデジタル量のエコーデータに変換される。このエコーデータはデータ前処理ユニット１１に送られる。データ前処理ユニット１１は前述したように、エコーデータのメモリ上での配列順序情報をコントローラ６から受けており、その配列順序にしたがったアドレス位置にエコーデータを書き込んでいく。これにより、書込みと同時に、フーリエ変換可能な、ｋ空間に対応したメモリ領域にフーリエ変換可能なデータが配置される。
【００３７】
なお、このエコーデータのメモリ領域（ｋ空間）への書込みについては、送られてくるエコーデータをその順にメモリに全て記憶させた後で、上記配列順序にしたがって並び変えるようにしてもよい。
【００３８】
このように充填されたメモリ領域の画像データは再構成ユニットに１２に送られ、２次元フーリエ変換により画像に再構成される。この画像は記憶ユニット１３に記憶されるとともに、表示器１４に表示される。
【００３９】
以上のように、高周波励起毎に位相エンコード用傾斜磁場パルスの大きさを変える順序をランダムに制御する高速ＳＥ法としたことから、例えば被検体Ｐの体動に拠り各高周波励起毎にエコー信号が変動する場合でも、ｋ空間のｋｅ方向のエコーデータの誤差成分が相当に不規則に変化する。これにより、誤差成分がｋｅ方向に沿って分散又は相殺し合って減少することとなり、エコー数に比例した周期でｋｅ方向に現れるエコーデータの振幅変調の周期性が大幅に緩和される。
【００４０】
この周期性の緩和の様子を、図５〜図７を参照し、従来手法と対称させながら説明する。図５は通常のＳＥ法（参考として示した）、図６は従来の高速ＳＥ法（８エコー）、及び図７は本発明に係る高速ＳＥ法（８エコー）を各々示しており、これらの図の内、（ａ）はｋ空間でのｋｅ方向におけるエコーデータの振幅の誤差成分Ｅ（ｋｅ）の変化を示し（横軸はｋｅ方向の空間周波数の位置）、（ｂ）は同図（ａ）の右側半分のＥ（ｋｅ）曲線をフーリエ変換して得られるＰＳＦ（点広がり関数：point spread function）のシミュレーション結果を示している。なお、Ｅ（ｋｅ）は相対値で、Ｅ（ｋｅ）＝１は「誤差無し」を表す。また、Ｅ（ｋｅ）曲線についてのＰＳＦは左右対称になる。
【００４１】
これらの図から判別できるように、通常のＳＥ法では、ｋ空間上でのデータの振幅が比較的不規則に変化するので（図５（ａ）参照）、ゴースト状アーチファクトが分散し、比較的目立たない（同図（ｂ）参照）。しかし、高速ＳＥ法と違って撮影時間が長い。
【００４２】
一方、従来の高速ＳＥ法の場合、図６（ａ）に示す如く、ｋ空間上の各エコーが担当する、夫々の分割領域では振幅変動が不規則であるが、その変動パターンが各分割領域で同じである。このため、同図（ｂ）のように、かなりはっきりした周期性がＰＳＦに現れ（同図のピークＰ１〜Ｐ３参照）、この周期性が前述したゴースト状アーチファクト（図１０参照）になっていた。
【００４３】
これに対して、本発明の高速ＳＥ法では、ｋ空間上の各分割領域の振幅の変動パターンが異なっている。このため、図７（ａ）から分かるように、従来の高速ＳＥ法で見られた振幅変動の周期性が弱くなり、これに対応するＰＳＦの曲線のピークが著しく弱められており（同図（ｂ）参照）、従来見られた、高速ＳＥ法に特有のエコー数に比例した周期のゴースト状アーチファクトが大幅に低減される。
【００４４】
この結果、再構成画像の解像度が上がる。同時に、画質も向上することから、細部組織の描出能が向上し、ゴースト状アーチファクトに因る誤診の恐れも著しく減少する。
【００４５】
なお、この発明に係る高速ＳＥ法は、エコー数が上述した４個又は８個の場合に限定されるものではなく、任意のエコー数に適用できる。
【図面の簡単な説明】
【００４６】
【図１】この発明の磁気共鳴イメージング装置の一例を示す全体ブロック図。
【図２】コントローラで実施されるエコーデータ収集順序の処理例を示す概略フローチャート。
【図３】高速ＳＥ法の一例を示すパルスシーケンス図。
【図４】高周波励起毎に変化させる位相エンコード用傾斜磁場の大きさ（面積比）の順序の一例を、従来法と実施例とで対比して示す表図。
【図５】（ａ）は通常のＳＥ法に係るｋ空間での誤差成分Ｅ（ｋｅ）の変化例を示すグラフ、（ｂ）は同図（ａ）の右側半分に対応したＰＳＦのグラフ。
【図６】（ａ）は従来の高速ＳＥ法に係るｋ空間での誤差成分Ｅ（ｋｅ）の変化例を示すグラフ、（ｂ）は同図（ａ）の右側半分に対応したＰＳＦのグラフ。
【図７】（ａ）は本発明の高速ＳＥ法に係るｋ空間での誤差成分Ｅ（ｋｅ）の変化例を示すグラフ、（ｂ）は同図（ａ）の右側半分に対応したＰＳＦのグラフ。
【図８】従来の高速ＳＥ法の一例を示すパルスシーケンス図。
【図９】従来の高速ＳＥ法に係る、ｋ空間上でのデータ収集順序を説明する図。
【図１０】高速ＳＥ法に特有のゴースト状アーチファクトを説明する画像図。
【符号の説明】
【００４７】
１  磁石
２  静磁場電源
３ｘ〜３ｙ  傾斜磁場コイル
４  傾斜磁場電源
５  傾斜磁場シーケンサ
６  コントローラ
７  高周波コイル
８Ｔ  送信機
８Ｒ  受信機
９  ＲＦシーケンサ
１０  Ａ／Ｄ変換器
１１  データ前処理ユニット
１２  再構成ユニット
１３  記憶ユニット
１４  表示器
１５  入力器
【図１】
2006136736.tif 000003
【図２】
2006136736.tif 000004
【図３】
2006136736.tif 000005
【図４】
2006136736.tif 000006
【図５】
2006136736.tif 000007
【図６】
2006136736.tif 000008
【図７】
2006136736.tif 000009
【図８】
2006136736.tif 000010
【図９】
2006136736.tif 000011
【図１０】
2006136736.tif 000012